(57)【要約】 【課題】部品点数の削減等を図る。【解決手段】  発光ユニット２の回路基板４上に半導体発光素子５と接続された給電用の導電パターン４ａ、４ａを形成し、アタッチメント２に、電源回路と接続される電源供給端子１４ｂ、１４ｂと、該電源供給端子と接続され発光ユニットが装着されたときに導電パターンに接続される給電端子１０、１０と、発光ユニットを保持する保持部１３とを設け、該保持部に係合爪１１、１１、１１を有し弾性変形可能な係合突部８、８、８を設け、発光ユニットがアタッチメントに装着されるときに係合突部が弾性変形され、弾性変形されていた係合突部が弾性復帰されて係合爪が回路基板に係合され発光ユニットがアタッチメントに装着されるようにした。【選択図】図６
2007194173.tif 000002
【特許請求の範囲】
【請求項１】
半導体発光素子が実装された回路基板を有する発光ユニットと該発光ユニットが装着されるアタッチメントとから成ると共に車輌用灯具に用いられる光源モジュールであって、
発光ユニットの回路基板上に半導体発光素子と接続された給電用の導電パターンが形成され、
アタッチメントに、電源回路と接続される電源供給端子と、該電源供給端子と接続され発光ユニットが装着されたときに導電パターンに接続される給電端子と、発光ユニットを保持する保持部とを設け、
該保持部に係合爪を有し弾性変形可能な係合突部を設け、
発光ユニットがアタッチメントに装着されるときに係合突部が弾性変形され、弾性変形されていた係合突部が弾性復帰されて係合爪が回路基板に係合され発光ユニットがアタッチメントに装着されるようにした
ことを特徴とする光源モジュール。
【請求項２】
上記アタッチメントに略平板状のベース面部を設け、
上記係合突部を複数設けると共に該複数の係合突部をベース面部から該ベース面部の厚み方向に直交する方向へ突出させ、
ベース面部における係合突部の内側の位置に、発光ユニットが装着されたときに該発光ユニットの一部が配置される配置孔を形成し、
発光ユニットをベース面部の厚み方向から係合突部の内側に挿入して装着するようにした
ことを特徴とする請求項１に記載の光源モジュール。
【請求項３】
上記アタッチメントの保持部を側方に開口された形状に形成し、
該保持部に回路基板の一部を上記開口から挿入して発光ユニットをアタッチメントに装着するようにした
ことを特徴とする請求項１に記載の光源モジュール。
【発明の詳細な説明】
【技術分野】
【０００１】
本発明は光源モジュールに関する。詳しくは、アタッチメントに発光ユニットを保持する保持部を設けて部品点数の削減等を図る技術分野に関する。
【背景技術】
【０００２】
発光ダイオード（ＬＥＤ）等の半導体発光素子を光源として用いた光源モジュールがあり、このような光源モジュールは、例えば、光源から出射された光を投光レンズによって照明光として照射する車輌用灯具に備えられている。
【０００３】
従来の車輌用灯具にあっては、例えば、回路基板の導電パターン上に発光ダイオードが搭載されて発光ユニットが構成され、該発光ユニットがアッタチメントにホルダーによって固定されて装着され、このアタッチメントがブラケット等の放熱体に取り付けられている。アタッチメントには回路基板の導電パターンに接続される給電端子と該給電端子に接続された電源供給端子とが設けられている。電源供給端子に電源コードの先端部に設けられたコネクターが接続されることにより、発光ダイオードに対して電源コード、電源供給端子、給電端子及び導電パターンを介して電源が供給される。
【発明の開示】
【発明が解決しようとする課題】
【０００４】
ところが、上記した従来の光源モジュールにあっては、ホルダーによって発光ユニットがアタッチメントに固定される構成とされているため、ホルダーが存在する分、部品点数が多いと共にコスト高になると言う問題がある。
【０００５】
また、発光ユニットをアタッチメントに取り付け、さらにホルダーをアタッチメントに取り付ける作業が必要となり、作業が煩雑であり作業性が悪いと言う問題もある。
【０００６】
そこで、本発明光源モジュールは、部品点数の削減等を図ることを課題とする。
【課題を解決するための手段】
【０００７】
本発明光源モジュールは、上記した課題を解決するために、発光ユニットの回路基板上に半導体発光素子と接続された給電用の導電パターンを形成し、アタッチメントに、電源回路と接続される電源供給端子と、該電源供給端子と接続され発光ユニットが装着されたときに導電パターンに接続される給電端子と、発光ユニットを保持する保持部とを設け、該保持部に係合爪を有し弾性変形可能な係合突部を設け、発光ユニットがアタッチメントに装着されるときに係合突部が弾性変形され、弾性変形されていた係合突部が弾性復帰されて係合爪が回路基板に係合され発光ユニットがアタッチメントに装着されるようにしたものである。
【０００８】
従って、本発明光源モジュールにあっては、発光ユニットがアタッチメントの保持部に装着される。
【発明の効果】
【０００９】
本発明光源モジュールは、半導体発光素子が実装された回路基板を有する発光ユニットと該発光ユニットが装着されるアタッチメントとから成ると共に車輌用灯具に用いられる光源モジュールであって、発光ユニットの回路基板上に半導体発光素子と接続された給電用の導電パターンが形成され、アタッチメントに、電源回路と接続される電源供給端子と、該電源供給端子と接続され発光ユニットが装着されたときに導電パターンに接続される給電端子と、発光ユニットを保持する保持部とを設け、該保持部に係合爪を有し弾性変形可能な係合突部を設け、発光ユニットがアタッチメントに装着されるときに係合突部が弾性変形され、弾性変形されていた係合突部が弾性復帰されて係合爪が回路基板に係合され発光ユニットがアタッチメントに装着されるようにしたことを特徴とする。
【００１０】
従って、発光ユニットを別部品であるホルダーによってアタッチメントに固定する必要がなく、部品点数の削減による製造コストの低減を図ることができる。
【００１１】
請求項２に記載した発明にあっては、上記アタッチメントに略平板状のベース面部を設け、上記係合突部を複数設けると共に該複数の係合突部をベース面部から該ベース面部の厚み方向に直交する方向へ突出させ、ベース面部における係合突部の内側の位置に、発光ユニットが装着されたときに該発光ユニットの一部が配置される配置孔を形成し、発光ユニットをベース面部の厚み方向から係合突部の内側に挿入して装着するようにしたので、ベース面部を枠状に形成することが可能となり、アタッチメントの高い剛性を確保することができる。
【００１２】
請求項３に記載した発明にあっては、上記アタッチメントの保持部を側方に開口された形状に形成し、該保持部に回路基板の一部を上記開口から挿入して発光ユニットをアタッチメントに装着するようにしたので、発光ユニットの一部がアタッチメントから突出される分、アタッチメントの小型化を図ることができ、製造コストの低減及び配置スペースの効率的な活用を図ることができる。
【発明を実施するための最良の形態】
【００１３】
以下に、本発明光源モジュールを実施するための最良の形態について添付図面を参照して説明する。
【００１４】
先ず、光源モジュールの第１の最良の形態について説明する（図１乃至図８参照）。
【００１５】
光源モジュール１は発光ユニット２と該発光ユニット２が装着されるアタッチメント３とから成る（図１参照）。
【００１６】
発光ユニット２は、回路基板４とＬＥＤ（発光ダイオード）チップ等の半導体発光素子５とカバー６とを備えている。
【００１７】
回路基板４は、基材として設けられた導電性を有しない非導電層上に、金や銅等の金属材料によって形成された一対の導電パターン４ａ、４ａが形成されて成る。回路基板４の非導電層としては、例えば、セラミック基板（窒化アルミニウム基板、アルミナ基板、ムライト基板、ガラスセラミック基板等）、ガラスエポキシ基板等の種々の基板が用いられている。
【００１８】
半導体発光素子５としては、例えば、蛍光体を均一の膜状に塗布した発光ダイオードが用いられている。半導体発光素子５は、その下面が導電パターン４ａ、４ａに跨った状態で接合されている。
【００１９】
カバー６は外面が略半球状に形成され、回路基板４の上面に半導体発光素子５を覆うようにして接合されている。カバー６が回路基板４に接合されることにより、半導体発光素子５がカバー６内における中空の密閉領域に配置される。
【００２０】
アタッチメント３は、図１乃至図４に示すように、導通部分を除き樹脂材料によって各部が一体に形成され、上下方向を向く略平板状のベース面部７と該ベース面部７から下方へ突出された係合突部８、８、８とを有している。
【００２１】
ベース面部７には略矩形状を為す配置孔７ａが形成されている。
【００２２】
ベース面部７には、配置孔７ａの前側開口縁と後側開口縁から内方へ突出された規制突部９、９、・・・が設けられている。規制突部９、９、・・・は、配置孔７ａの前側開口縁と後側開口縁からそれぞれ２つずつが突出され、左右に離隔して設けられている。
【００２３】
ベース面部７には、配置孔７ａの後側開口縁から前方へ突出された給電端子１０、１０が設けられている。給電端子１０、１０は、規制突部９、９の外側に位置されている。給電端子１０、１０はバネ性を有する板状の金属材料によって形成され、先端部がベース面部７の下面と略同じ高さに位置されている（図３及び図４参照）。給電端子１０、１０の先端部には下方へ突出された打出状の接続突起１０ａ、１０ａが設けられている。
【００２４】
係合突部８、８、８はベース面部７と一体に形成され、配置孔７ａの左右両開口縁と前側開口縁からそれぞれ下方へ突出されている。係合突部８、８、８の下端部には、それぞれ内方へ突出された係合爪１１、１１、１１が設けられている。係合爪１１、１１、１１には下方へ行くに従って内方へ変位するように傾斜された上側傾斜面１１ａ、１１ａ、１１ａと下方へ行くに従って外方へ変位するように傾斜された下側傾斜面１１ｂ、１１ｂ、１１ｂとが形成され、上側傾斜面１１ａ、１１ａ、１１ａの傾斜角度が下側傾斜面１１ｂ、１１ｂ、１１ｂの傾斜角度より大きくされている。
【００２５】
ベース面部７の配置孔７ａの後側開口縁からは下方へ向けて押さえ突部１２が突出されている。押さえ突部１２はベース面部７と一体に形成され、下端部の内面には、下方へ行くに従って外方へ変位するように傾斜された案内面１２ａが形成されている（図４参照）。
【００２６】
ベース面部７に設けられた規制突部９、９、・・・と係合突部８、８、８と押さえ突部１２とによって発光ユニット２を保持する保持部１３が構成される。
【００２７】
アタッチメント３にはコネクター部１４が設けられている（図１参照）。コネクター部１４はベース面部７の前端部における右端部に設けられ、前方に開口されたケース部１４ａと該ケース部１４ａ内に配置された一対の電源供給端子１４ｂ、１４ｂとから成る。ケース部１４ａはベース面部７と一体に形成されている。電源供給端子１４ｂ、１４ｂはそれぞれ回路基板４の内部に形成された図示しない接続パターンを介して給電端子１０、１０に接続されている。
【００２８】
発光ユニット２はアタッチメント３の保持部１３に装着されて保持される。発光ユニット２のアタッチメント３への装着は、発光ユニット２の回路基板４を係合突部８、８、８と押さえ突部１２によって囲まれた空間に挿入することにより行う。
【００２９】
発光ユニット２を係合突部８、８、８と押さえ突部１２によって囲まれた空間に挿入していくと、回路基板４の周縁が係合突部８、８、８の下側傾斜面１１ｂ、１１ｂ、１１ｂと摺接され、係合突部８、８、８が外側へ変形する方向へ弾性変形されていく（図５参照）。このとき回路基板４の周縁は押さえ突部１２の案内面１２ａと摺接されるが、該案内面１２ａが下方へ行くに従って外方へ変位するように傾斜されているため、回路基板４の挿入を円滑に行うことができる。
【００３０】
さらに発光ユニット２を挿入していき回路基板４の周縁の下端が下側傾斜面１１ｂ、１１ｂ、１１ｂを乗り越えると、弾性変形されていた係合突部８、８、８が弾性復帰して回路基板４の周縁が係合爪１１、１１、１１の上側傾斜面１１ａ、１１ａ、１１ａに係合され、発光ユニット２のアタッチメント３への装着が完了する。発光ユニット２がアタッチメント３に装着されることにより光源モジュール１が構成される。
【００３１】
発光ユニット２がアタッチメント３に装着された状態においては、回路基板４の周縁が係合突部８、８、８及び押さえ突部１２に外側から押さえられると共に回路基板４の上面の外周部が規制突部９、９、・・・に押さえられる（図６参照）。このとき回路基板４の導電パターン４ａ、４ａがそれぞれアタッチメント３の給電端子１０、１０の接続突起１０ａ、１０ａに接触される（図７参照）。発光ユニット２がアタッチメント３に装着された状態において、ベース面部７の配置孔７ａから発光ユニット２のカバー６の略全体が上方へ突出される。
【００３２】
上記のように構成された光源モジュール１は放熱体１５に取り付けられる（図１及び図８参照）。放熱体１５は車体の内部に配置された、例えば、ブラケットに固定されている。
【００３３】
放熱体１５は熱伝導性の高い金属材料等によって各部が一体に形成されて成り、図１に示すように、ベース板部１６と該ベース板部１６から後方へ突出された放熱フィン１７、１７、・・・とベース板部１６から前方へ突出された取付突部１８とから成る。
【００３４】
ベース板部１６は前後方向を向く平板状に形成されている。ベース板部１６の上端部には左右に離隔して挿通孔１６ａ、１６ａが形成されている。
【００３５】
放熱フィン１７、１７、・・・は左右に等間隔に離隔して設けられている。
【００３６】
取付突部１８の後端部には上方へ突出された位置決め部１９が設けられ、該位置決め部１９は左右に延びる第１の部分１９ａと該第１の部分１９ａの右端部から前方へ突出された第２の部分１９ｂとから成る。
【００３７】
取付突部１８における位置決め突部１９の前方には、上方に開口された挿入孔１８ａ、１８ａ、１８ａが形成されている。
【００３８】
取付突部１８の前面には取付用挿入孔１８ｂが形成され、該取付用挿入孔１８ｂの内部には、上方に開口された係合穴１８ｃが形成されている。
【００３９】
光源モジュール１は放熱体１５にクリップ２０によって固定される。
【００４０】
クリップ２０はバネ性を有する板状の金属材料によって各部が一体に形成されて成る（図１参照）。クリップ２０は、前後方向を向く連結部２１と、該連結部２１の上縁からそれぞれ後方へ突出された押さえ突部２２、２２と、連結部２１の下縁から後方へ突出された挿入突部２３とから成る。
【００４１】
押さえ突部２２、２２は連結部２１の左右両端部からそれぞれ後方へ突出され、突出方向における中間部にそれぞれ下方へ突出された係合突条２２ａ、２２ａを有している。係合突条２２ａ、２２ａは左右に延びるように形成されている。
【００４２】
挿入突部２３には切り起こし状の係合突片２３ａが形成され、該係合突片２３ａは前斜め下方へ突出するように切り起こされている。
【００４３】
以下に、光源モジュール１の放熱体１５に対する固定の手順について説明する。
【００４４】
先ず、発光ユニット２の回路基板４を放熱体１５の取付突部１８の上面に載置し、アタッチメント３のベース面部７の位置決めを行う。このとき係合突部８、８、８をそれぞれ取付突部１８に形成された挿入孔１８ａ、１８ａ、１８ａに挿入する。ベース面部７の放熱体１５に対する位置決めは、ベース面部７の後縁を位置決め部１９の第１の部分１９ａに押し付けると共にベース面部７の右側縁を位置決め部１９の第２の部分１９ｂに押し付けることにより行う。
【００４５】
次に、クリップ２０の押さえ突部２２、２２をそれぞれ放熱体１５の挿通孔１６ａ、１６ａに前方から挿入すると共にクリップ２０の挿入突部２３を放熱体１５の取付用挿入孔１８ｂに前方から挿入していく。押さえ突部２２、２２及び挿入突部２３をそれぞれ挿入していくことにより、押さえ突部２２、２２の係合突条２２ａ、２２ａがそれぞれベース面部７の上面に係合される。このとき、挿入突部２３の係合突片２３ａが取付用挿入孔１８ｂを形成する壁面（下面）に摺接されて弾性変形され、次いで、係合突片２３ａの前端が係合穴１８ｃの上方に位置されたところで係合突片２３ａが弾性復帰し、その前縁が係合穴１８ｃの前側開口縁に係合する。従って、クリップ２０が放熱体１５に取り付けられる。
【００４６】
上記のようにクリップ２０が放熱体１５に取り付けられた状態においては、押さえ突部２２、２２及び挿入突部２３のバネ性により両者が互いに近付く方向への付勢力が発生し、回路基板４がベース面部７の規制突部９、９、・・・を介して取付突部１８の上面に押し付けられ、光源モジュール１が放熱体１５に固定される（図８参照）。
【００４７】
光源モジュール１が放熱体１５に固定された状態において、電源回路に接続された図示しない電源コードのコネクターがアタッチメント３の電源供給端子１４ｂ、１４ｂに接続される。
【００４８】
以上のように光源モジュール１が放熱体１５にクリップ２０によって固定された状態において、後述する車輌用灯具が放熱体１５の前方に配置される。
【００４９】
以上に記載した通り、光源モジュール１にあっては、アタッチメント３に発光ユニット２を保持する保持部１３が設けられている。従って、発光ユニット２を別部品であるホルダーによってアタッチメント３に固定する必要がなく、部品点数の削減による製造コストの低減を図ることができる。
【００５０】
また、発光ユニット２のアタッチメント３への装着を発光ユニット２を係合突部８、８、８と押さえ突部１２によって囲まれた空間に挿入することにより行うことができるため、装着作業が簡単であり、作業性の向上を図ることができる。
【００５１】
さらに、発光ユニット２のアタッチメント３への装着をベース面部７の厚み方向から発光ユニット２を挿入することにより行うことができるため、ベース面部７を枠状に形成することが可能となり、アタッチメント３の高い剛性を確保することができる。
【００５２】
次に、光源モジュールの第２の最良の形態について説明する（図９乃至図１２参照）。
【００５３】
尚、以下に示す第２の最良の形態に係る光源モジュール１Ａ、１Ｂ、１Ｃは、上記した光源モジュール１と比較して、回路基板に係合凹部又は係合孔が形成されていること及びアタッチメントの構造が異なることのみが相違するため、光源モジュール１と比較して異なる部分についてのみ詳細に説明をし、その他の部分については光源モジュール１における同様の部分に付した符号と同じ符号を付して説明は省略する。
【００５４】
光源モジュール１Ａは発光ユニット２Ａと該発光ユニット２Ａが装着されるアタッチメント３Ａとから成る（図９及び図１０参照）。
【００５５】
発光ユニット２Ａは、回路基板４ＡとＬＥＤ（発光ダイオード）チップ等の半導体発光素子５とカバー６とを備えている。
【００５６】
回路基板４Ａの上面には、半導体発光素子５に接続された一対の導電パターン４ｂ、４ｂが形成され、該導電パターン４ｂ、４ｂ間に係合凹部４ｃ又は係合孔が形成されている。
【００５７】
アタッチメント３Ａは導通部分を除き樹脂材料によって略角筒状に形成されている。アタッチメント３Ａの一端側の部分は保持部１３Ａとして設けられ、他端側の部分はコネクター部１４Ａとして設けられている。
【００５８】
保持部１３Ａの上面部には一対のスリットが形成され、該一対のスリット間の部分が係合突部８Ａとして設けられている。係合突部８Ａの前端部には下方へ突出された係合爪１１Ａが設けられている。
【００５９】
アタッチメント３Ａの内部には金属材料が所定の形状に折り曲げられて形成された一対の接続端子２４、２４が配置されている。接続端子２４、２４はそれぞれ上下に延びるベース片２４ａ、２４ａと該ベース片２４ａ、２４ａの上端部から一方の方向へ突出された連結片２４ｂ、２４ｂと該連結片２４ｂ、２４ｂの先端部から折り返された給電端子２４ｃ、２４ｃとベース片２４ａ、２４ａの下端部から他方の方向へ突出された電源供給端子２４ｄ、２４ｄとから成る。
【００６０】
接続端子２４、２４は電源供給端子２４ｄ、２４ｄがコネクター部１４Ａに位置され、電源供給端子２４ｄ、２４ｄ以外の部分が保持部１３Ａに位置されている。給電端子２４ｃ、２４ｃは連結片２４ｂ、２４ｂに対して弾性変形可能とされている。
【００６１】
発光ユニット２Ａはアタッチメント３Ａの保持部１３Ａに装着されて保持される。発光ユニット２Ａのアタッチメント３Ａへの装着は、発光ユニット２Ａの回路基板４Ａを保持部１３Ａに側方から挿入することにより行う。
【００６２】
発光ユニット２Ａが保持部１３Ａに挿入されると、係合突部８Ａの係合爪１１Ａが回路基板４Ａの係合凹部４ｃに係合され、発光ユニット２Ａのアタッチメント３Ａへの装着が完了し光源モジュール１Ａが構成される。
【００６３】
発光ユニット２Ａがアタッチメント３Ａに装着された状態においては、回路基板４Ａの導電パターン４ｂ、４ｂがそれぞれ接続端子２４、２４の給電端子２４ｃ、２４ｃに接続され、回路基板４Ａの下面が保持部１３Ａの下面部に押し付けられる。
【００６４】
発光ユニット２Ａがアタッチメント３Ａに装着された状態において、発光ユニット２Ａの一部、即ち、カバー６と該カバー６が取り付けられた回路基板４Ａの部分とがアタッチメント３Ａから側方へ突出された状態とされる（図１０参照）。
【００６５】
上記のようにして構成された光源モジュール１Ａは図示しない放熱体に図示しないクリップによって固定される。
【００６６】
光源モジュール１Ａが放熱体に固定された状態において、電源回路に接続された図示しない電源コードのコネクターがアタッチメント３Ａの電源供給端子２４ｄ、２４ｄに接続される。
【００６７】
以上のように光源モジュール１Ａが放熱体にクリップによって固定された状態において、車輌用灯具が放熱体の前方に配置される。
【００６８】
以上に記載した通り、光源モジュール１Ａにあっても、光源モジュール１と同様に、アタッチメント３Ａに発光ユニット２Ａを保持する保持部１３Ａが設けられているため、発光ユニット２Ａを別部品であるホルダーによってアタッチメント３Ａに固定する必要がなく、部品点数の削減による製造コストの低減を図ることができる。
【００６９】
また、発光ユニット２Ａのアタッチメント３Ａへの装着を発光ユニット２Ａを保持部１３Ａに挿入することにより行うことができるため、装着作業が簡単であり、作業性の向上を図ることができる。
【００７０】
さらに、発光ユニット２Ａがアタッチメント３Ａへに装着された状態において、発光ユニット２Ａの一部がアタッチメント３Ａから突出されるようにしているため、その分、アタッチメント３Ａの小型化を図ることができ、製造コストの低減及び配置スペースの効率的な活用を図ることができる。
【００７１】
尚、上記には、保持部１３Ａの上面部に回路基板４Ａと係合される係合突部８Ａを設けた例を示したが、これに加え、係合突部を保持部１３Ａの下面部にも設け、回路基板４Ａの下面にも係合凹部又は係合孔を形成するようにしてもよい。
【００７２】
また、例えば、保持部１３Ａの上面部に代えて下面部のみに回路基板４Ａと係合される係合突部を設けてもよい。この場合には、回路基板４Ａには、その下面にのみ係合凹部又は係合孔が形成される。
【００７３】
さらに、図１１に示す光源モジュール１Ｂのように、アタッチメント３Ｂを保持部１３Ｂとコネクター部１４Ｂによって構成し、保持部１３Ｂの両側面部にそれぞれ係合突部８Ｂ、８Ｂを設け、発光ユニット２Ｂの回路基板４Ｂの両側面部にそれぞれ係合凹部４ｄ、４ｄを形成し、係合突部８Ｂ、８Ｂと係合凹部４ｄ、４ｄをそれぞれ係合させて発光ユニット２Ｂをアタッチメント３Ｂに装着するようにすることもできる。
【００７４】
さらにまた、図１２に示す光源モジュール１Ｃのように、保持部１３Ｃとコネクター部１４Ｃが上下に位置されるようにアタッチメント３Ｃを構成することも可能である。このような構成は、アタッチメント３Ｃの水平方向における配置スペースが小さい場合に好適である。
【００７５】
次に、光源モジュールを備えた車輌用灯具の構成例について説明する（図１３参照）。尚、以下には、一例として、第１の最良の形態に係る光源モジュール１が備えられた車輌用灯具について説明する。
【００７６】
車輌用灯具２５は内部に光源モジュール１が配置されるリフレクター２６と半導体発光素子３から発光された光を照明光として照射する投光レンズ２７とを備えている。リフレクター２６及び投光レンズ２７は、例えば、ランプボデイと透明レンズとによって構成された図示しないランプハウジング内に配置されている。
【００７７】
尚、光源モジュール１を車輌用灯具２５に用いる場合には、光源モジュール１を一つのみ配置したリフレクター２６をランプハウジング内に配置して車輌用灯具２５を構成してもよく、また、複数のリフレクター２６、２６、・・・の内部にそれぞれ光源モジュール１、１、・・・を配置し、これらの複数のリフレクター２６、２６、・・・をランプハウジング内に配置して車輌用灯具２５を構成してもよい。複数の光源モジュール１、１、・・・を用いた場合には、光源モジュール１、１、・・・の個数分、車輌用灯具２５から照射される照明光の輝度を高くすることができる他、光源モジュール１、１、・・・の配置の自由度の向上により車輌用灯具２５の形状の自由度の向上を図ることができる。
【００７８】
リフレクター２６は後方に位置する第１の反射面２６ａと該第１の反射面２６ａの前方に位置する第２の反射面２６ｂとを有し、第１の反射面２６ａが楕円球面に形成され、第２の反射面２６ｂが前方へ行くに従って緩やかに下方へ傾斜された傾斜面に形成されている。光源モジュール１の半導体発光素子３は第１の反射面２６ａの第１の焦点Ｆ１に配置されている。
【００７９】
リフレクター２６内には、例えば、平板状の光制御部材２８が配置され、該光制御部材２８の後方に光源モジュール１が配置されている。光制御部材２８の前端は、リフレクター２６の第１の反射面２６ａの第２の焦点Ｆ２に略一致されている。従って、半導体発光素子３から発光され第１の反射面２６ａで反射された光（図１３に示す光Ｐ１）は、第２の焦点Ｆ２に収束される。
【００８０】
投光レンズ２７の焦点は上記第２の焦点Ｆ２に一致されている。従って、半導体発光素子３から発光され第２の焦点Ｆ２に収束された光が、投光レンズ２７によって前方へ向けて照射される。
【００８１】
半導体発光素子３から発光されリフレクター２６の第２の反射面２６ｂで反射された光（図１３に示す光Ｐ２）は、第２の焦点Ｆ２の前方へ向かい、投光レンズ２７の下端部を透過されて照明光として照射される。従って、投光レンズ２７を透過された照明光は、第１の反射面２６ａで反射された主光束と第２の反射面２６ｂで反射された付加光束とが合成された照明光として前方へ向けて照射される。
【００８２】
上記した最良の形態において示した各部の形状及び構造は、何れも本発明を実施するに際して行う具体化のほんの一例を示したものに過ぎず、これらによって本発明の技術的範囲が限定的に解釈されることがあってはならないものである。
【図面の簡単な説明】
【００８３】
【図１】図２乃至図８と共に本発明の第１の最良の形態を示すものであり、本図は光源モジュールと放熱体とクリップを示す分解斜視図である。
【図２】アタッチメントの拡大平面図である。
【図３】図２のＩＩＩ―ＩＩＩ線に沿う断面図である。
【図４】図２のＩＶ―ＩＶ線に沿う断面図である。
【図５】発光ユニットがアタッチメントに装着される途中の状態を一部を断面にして示す拡大側面図である。
【図６】発光ユニットがアタッチメントに装着された状態を一部を断面にして示す拡大側面図である。
【図７】発光ユニットがアタッチメントに装着された状態を示す拡大斜視図である。
【図８】光源モジュールが放熱体に固定された状態を示す斜視図である。
【図９】図１０乃至図１２と共に本発明の第２の最良の形態を示すものであり、本図は拡大分解斜視図である。
【図１０】一部を断面にして示す拡大側面図である。
【図１１】係合突部がアタッチメントの側面部に設けられた例を示す拡大斜視図である。
【図１２】保持部とコネクター部が上下に位置された例を一部を断面にして示す拡大側面図である。
【図１３】車輌用灯具の概略断面図である。
【符号の説明】
【００８４】
１…光源モジュール、２…発光ユニット、３…アタッチメント、４…回路基板、４ａ…導電パターン、５…半導体発光素子、７…ベース面部、７ａ…配置孔、８…係合突部、１０…給電端子、１１…係合爪、１３…保持部、１４ｂ…電源供給端子、１Ａ…光源モジュール、２Ａ…発光ユニット、３Ａ…アタッチメント、４Ａ…回路基板、４ｂ…導電パターン、８Ａ…係合突部、１１Ａ…係合爪、１３Ａ…保持部、２４ｄ…電源供給端子、１Ｂ…光源モジュール、２Ｂ…発光ユニット、３Ｂ…アタッチメント、４Ｂ…回路基板、４ｂ…導電パターン、８Ｂ…係合突部、１３Ｂ…保持部、１Ｃ…光源モジュール、３Ｃ…アタッチメント、１３Ｃ…保持部、２５…車輌用灯具
【図１】
2007194173.tif 000003
【図２】
2007194173.tif 000004
【図３】
2007194173.tif 000005
【図４】
2007194173.tif 000006
【図５】
2007194173.tif 000007
【図６】
2007194173.tif 000008
【図７】
2007194173.tif 000009
【図８】
2007194173.tif 000010
【図９】
2007194173.tif 000011
【図１０】
2007194173.tif 000012
【図１１】
2007194173.tif 000013
【図１２】
2007194173.tif 000014
【図１３】
2007194173.tif 000015